(57)【要約】      （修正有）【課題】異なる時間単位で構成された時間軸を基準に放送コンテンツ情報を提供することで、ユーザが未来時間または過去時間の放送コンテンツ情報をより容易にかつ正確に視聴しようとする放送コンテンツを選択することができるディスプレイ装置及び制御方法を提供する。【解決手段】ディスプレイ装置１００は、異なる時間単位で構成された時間軸上にディスプレイされ、複数の放送コンテンツに対応する複数のディスプレイアイテムを含むガイドＵＩ（Ｕｓｅｒ  Ｉｎｔｅｒｆａｃｅ）をディスプレイするディスプレイ部１１０と、ユーザ命令が入力される入力部１２０と、入力部１２０を介して入力されたユーザ命令に応じてガイドＵＩを制御する制御部１３０とを含む。【選択図】図１
2015186262.tif 000002
【特許請求の範囲】
【請求項１】
ディスプレイ装置において、
異なる時間単位で構成された時間軸上にディスプレイされ、複数の放送コンテンツに対応する複数のディスプレイアイテムを含むＵＩ（Ｕｓｅｒ  Ｉｎｔｅｒｆａｃｅ）をディスプレイするディスプレイ部と、
ユーザ命令が入力される入力部と、
前記入力部を介して入力されたユーザ命令に応じて、前記ディスプレイ部によってディスプレイされる前記ＵＩを制御する制御部と
を含むディスプレイ装置。
【請求項２】
前記時間軸は、
過去の日付には日付単位で、現在の日付から予め設定された期間内には時間単位で、前記予め設定された期間以後の未来の日付には日付単位で構成されることを特徴とする請求項１に記載のディスプレイ装置。
【請求項３】
前記制御部は、
前記時間軸を基準に同一の時間単位にディスプレイされるディスプレイアイテムを放送コンテンツのおすすめ順に沿って整列することを特徴とする請求項１に記載のディスプレイ装置。
【請求項４】
前記おすすめ順は、
ユーザの放送コンテンツ視聴履歴、視聴率、他人のおすすめ回数のうち、少なくとも１つに基づいて決定されることを特徴とする請求項３に記載のディスプレイ装置。
【請求項５】
外部サーバから予め設定された周期毎に放送コンテンツおすすめ情報を受信する通信部を更に含み、
前記制御部は、
前記外部サーバから受信された放送コンテンツおすすめ情報を用いて前記おすすめ順を判断することを特徴とする請求項３に記載のディスプレイ装置。
【請求項６】
前記ディスプレイ部は、
前記時間軸の一側に時間をブラウジングすることができるバー（Ｂａｒ）状のＧＵＩ（Ｇｒａｐｈｉｃ  Ｕｓｅｒ  Ｉｎｔｅｒｆａｃｅ）を共にディスプレイし、
前記制御部は、
前記入力部を介して前記バー状のＧＵＩの特定領域を選択するユーザ命令が入力された場合、前記選択された特定領域に対応する時間単位に含まれたディスプレイアイテムをディスプレイするように前記ディスプレイ部を制御することを特徴とする請求項１に記載のディスプレイ装置。
【請求項７】
前記制御部は、
前記入力部を介して前記複数のディスプレイアイテムのうちの１つを選択するユーザ命令が入力された場合、前記選択されたディスプレイアイテムの一側に前記選択されたディスプレイアイテムに対応する放送コンテンツに関連する機能を提供するリストをディスプレイするように前記ディスプレイ部を制御することを特徴とする請求項１に記載のディスプレイ装置。
【請求項８】
前記リストは、
前記選択されたディスプレイアイテムに対応する放送コンテンツが放送される時点に応じて異なることを特徴とする請求項７に記載のディスプレイ装置。
【請求項９】
前記選択されたディスプレイアイテムに対応する放送コンテンツが過去に放送された場合、前記リストは、好みの放送追加アイテム、前の放送視聴アイテム、放送情報提供アイテムのうち少なくとも１つを含み、
前記選択されたディスプレイアイテムに対応する放送コンテンツが現在放送される場合、前記リストは、好みの放送追加アイテム、録画アイテム、放送視聴アイテム及び放送情報提供アイテムのうち少なくとも１つを含み、
前記選択されたディスプレイアイテムに対応する放送コンテンツが未来に放送される場合、前記リストは、好みの放送追加アイテム、予約録画アイテム、予約視聴アイテム、放送情報提供アイテムのうち少なくとも１つを含むことを特徴とする請求項７に記載のディスプレイ装置。
【請求項１０】
ディスプレイ装置の制御方法において、
異なる時間単位で構成された時間軸上にディスプレイされ、複数の放送コンテンツに対応する複数のディスプレイアイテムを含むガイドＵＩをディスプレイするステップと、
ユーザ命令に応じて、前記ガイドＵＩを制御するステップと
を含む制御方法。
【請求項１１】
前記時間軸は、
過去の日付には日付単位で、現在の日付から予め設定された期間内には時間単位で、前記予め設定された期間以後の未来の日付には日付単位で構成されることを特徴とする請求項１０に記載の制御方法。
【請求項１２】
前記ディスプレイするステップは、
前記時間軸を基準に同一の時間単位にディスプレイされるディスプレイアイテムを放送コンテンツのおすすめ順に沿って整列してディスプレイすることを特徴とする請求項１０に記載の制御方法。
【請求項１３】
前記おすすめ順は、
ユーザの放送コンテンツ視聴履歴、視聴率、他人のおすすめ回数のうち、少なくとも１つに基づいて決定されることを特徴とする請求項１２に記載の制御方法。
【請求項１４】
前記おすすめ順は、
予め設定された周期毎に外部サーバから受信された放送コンテンツおすすめ情報によって決定されることを特徴とする請求項１２に記載の制御方法。
【請求項１５】
前記ディスプレイするステップは、
前記時間軸の一側に時間をブラウジングすることができるバー（Ｂａｒ）状のＧＵＩ（Ｇｒａｐｈｉｃ  Ｕｓｅｒ  Ｉｎｔｅｒｆａｃｅ）を共にディスプレイし、
前記制御するステップは、
前記バー状のＧＵＩの特定領域を選択するユーザ命令が入力された場合、前記選択された特定領域に対応する時間単位に含まれたディスプレイアイテムをディスプレイすることを特徴とする請求項１０に記載の制御方法。
【発明の詳細な説明】
【技術分野】
【０００１】
本発明は、ディスプレイ装置及びその制御方法に関し、より詳細には、放送コンテンツに対応する複数のディスプレイアイテムを含む放送ガイドＵＩ（Ｕｓｅｒ  Ｉｎｔｅｒｆａｃｅ）を提供するディスプレイ装置及びその制御方法に関する。
【背景技術】
【０００２】
ＥＰＧ（Ｅｌｅｃｔｒｏｎｉｃ  Ｐｒｏｇｒａｍ  Ｇｕｉｄｅ）は、テレビやラジオ及びその他のメディアアプリケーションのユーザに、放送番組編成または現在の番組編成に対するスケジュール情報を持続的にアップデートして提供する。ＥＰＧは、各チャネルで放送される現在及びスケジュールされた番組を並べたり、各番組の概要またはコメンタールを並べるように、デジタルセットトップボックス及びテレビセットと一緒に使用することができる。ＥＰＧは、紙に印刷されたテレビ番組ガイドの電子的形態である。
【０００３】
現在、ディスプレイ装置は、放送コンテンツをガイドするための多様な形態のＥＰＧ（Ｅｌｅｃｔｒｏｎｉｃ  Ｐｒｏｇｒａｍ  Ｇｕｉｄｅ）を提供している。しかし、多くのＥＰＧは、放送局から提供する放送コンテンツ情報に基づいて定型化されたフォーマットで放送コンテンツに対する情報を提供している。
【０００４】
近来は、放送局や放送コンテンツ種類の数が幾何級数的に増加している。よって、定型化されたＥＰＧフォーマットとしては、数多くの放送コンテンツに関する情報を提供するには限界があった。特に、近来提供されるＥＰＧフォーマットは、特定時間単位（例えば、１時間または３０分）に対する放送コンテンツ情報を提供している。しかし、ユーザは未来に放送を予定しているか、過去に放送された番組を探索するのには困難性があった。よって、単純化した、使用しやすいＥＰＧフォーマットに対する要求があった。
【先行技術文献】
【特許文献】
【０００５】
【特許文献１】韓国特許第０４２１７６６号
【発明の概要】
【発明が解決しようとする課題】
【０００６】
そこで、本発明は、上記問題に鑑みてなされたものであり、本発明の目的とするところは、異なる時間単位で構成された時間軸を基準に放送コンテンツ情報を提供することで、ユーザが未来時間または過去時間の放送コンテンツ情報をより容易にかつ正確に視聴しようとする放送コンテンツを選択することができるディスプレイ装置及びその制御方法を提供することにある。
【課題を解決するための手段】
【０００７】
前記目的を達成するための本発明の一実施形態に係るディスプレイ装置は、異なる時間単位で構成された時間軸上にディスプレイされ、複数の放送コンテンツに対応する複数のディスプレイアイテムを含むＵＩ（Ｕｓｅｒ  Ｉｎｔｅｒｆａｃｅ）をディスプレイするディスプレイ部と、ユーザ命令が入力される入力部と、前記入力部を介して入力されたユーザ命令に応じて、前記ディスプレイ部によってディスプレイされる前記ＵＩを制御する制御部とを含む。
【０００８】
この場合、前記時間軸は、過去の日付には日付単位で、現在の日付から予め設定された期間内には時間単位で、前記予め設定された期間以後の未来の日付には日付単位で構成されてよい。
【０００９】
一方、前記制御部は、前記時間軸を基準に同一の時間単位にディスプレイされるディスプレイアイテムを放送コンテンツのおすすめ順に沿って整列してよい。
【００１０】
この場合、前記おすすめ順は、ユーザの放送コンテンツ視聴履歴、視聴率、他人のおすすめ回数のうち、少なくとも１つに基づいて決定されてよい。
【００１１】
一方、本実施形態に係るディスプレイ装置は、外部サーバから予め設定された周期毎に放送コンテンツおすすめ情報を受信する通信部を更に含み、前記制御部は、前記外部サーバから受信された放送コンテンツおすすめ情報を用いて前記おすすめ順を判断してよい。
【００１２】
一方、前記ディスプレイ部は、前記時間軸の一側に時間をブラウジングすることができるバー（Ｂａｒ）状のＧＵＩ（Ｇｒａｐｈｉｃ  Ｕｓｅｒ  Ｉｎｔｅｒｆａｃｅ）を共にディスプレイし、前記制御部は、前記入力部を介して前記バー状のＧＵＩの特定領域を選択するユーザ命令が入力された場合、前記選択された特定領域に対応する時間単位に含まれたディスプレイアイテムをディスプレイするように前記ディスプレイ部を制御してよい。
【００１３】
一方、前記制御部は、前記入力部を介して前記複数のディスプレイアイテムのうちの１つを選択するユーザ命令が入力された場合、前記選択されたディスプレイアイテムの一側に前記選択されたディスプレイアイテムに対応する放送コンテンツに関連する機能を提供するリストをディスプレイするように前記ディスプレイ部を制御してよい。
【００１４】
この場合、前記リストは、前記選択されたディスプレイアイテムに対応する放送コンテンツが放送される時点に応じて異なってよい。
【００１５】
一方、前記選択されたディスプレイアイテムに対応する放送コンテンツが過去に放送された場合、前記リストは、好みの放送追加アイテム、前の放送視聴アイテム、放送情報提供アイテムのうち少なくとも１つを含み、前記選択されたディスプレイアイテムに対応する放送コンテンツが現在放送される場合、前記リストは、好みの放送追加アイテム、録画アイテム、放送視聴アイテム及び放送情報提供アイテムのうち少なくとも１つを含み、前記選択されたディスプレイアイテムに対応する放送コンテンツが未来に放送される場合、前記リストは、好みの放送追加アイテム、予約録画アイテム、予約視聴アイテム、放送情報提供アイテムのうち少なくとも１つを含んでよい。
【００１６】
一方、本発明の一実施形態に係るディスプレイ装置の制御方法は、異なる時間単位で構成された時間軸上にディスプレイされ、複数の放送コンテンツに対応する複数のディスプレイアイテムを含むガイドＵＩをディスプレイするステップと、ユーザ命令に応じて、前記ガイドＵＩを制御するステップとを含む。
【００１７】
この場合、前記時間軸は、過去の日付には日付単位で、現在の日付から予め設定された期間内には時間単位で、前記予め設定された期間以後の未来の日付には日付単位で構成されてよい。
【００１８】
一方、前記ディスプレイするステップは、前記時間軸を基準に同一の時間単位にディスプレイされるディスプレイアイテムを放送コンテンツのおすすめ順に沿って整列してディスプレイしてよい。
【００１９】
この場合、前記おすすめ順は、ユーザの放送コンテンツ視聴履歴、視聴率、他人のおすすめ回数のうち、少なくとも１つに基づいて決定されてよい。
【００２０】
一方、前記おすすめ順は、予め設定された周期毎に外部サーバから受信された放送コンテンツおすすめ情報によって決定されてよい。
【００２１】
一方、前記ディスプレイするステップは、前記時間軸の一側に時間をブラウジングすることができるバー（Ｂａｒ）状のＧＵＩ（Ｇｒａｐｈｉｃ  Ｕｓｅｒ  Ｉｎｔｅｒｆａｃｅ）を共にディスプレイし、前記制御するステップは、前記バー状のＧＵＩの特定領域を選択するユーザ命令が入力された場合、前記選択された特定領域に対応する時間単位に含まれたディスプレイアイテムをディスプレイしてよい。
【００２２】
一方、前記制御するステップは、前記複数のディスプレイアイテムのうちの１つを選択するユーザ命令が入力された場合、前記選択されたディスプレイアイテムの一側に前記選択されたディスプレイアイテムに対応する放送コンテンツに関連する機能を提供するリストをディスプレイしてよい。
【００２３】
この場合、前記リストは、前記選択されたディスプレイアイテムに対応する放送コンテンツが放送される時点に応じて異なってよい。
【００２４】
この場合、前記選択されたディスプレイアイテムに対応する放送コンテンツが過去に放送された場合、前記リストは、好みの放送追加アイテム、前の放送視聴アイテム、放送情報提供アイテムのうち少なくとも１つを含み、前記選択されたディスプレイアイテムに対応する放送コンテンツが現在放送される場合、前記リストは、好みの放送追加アイテム、録画アイテム、放送視聴アイテム及び放送情報提供アイテムのうち少なくとも１つを含み、前記選択されたディスプレイアイテムに対応する放送コンテンツが未来に放送される場合、前記リストは、好みの放送追加アイテム、予約録画アイテム、予約視聴アイテム、放送情報提供アイテムのうち少なくとも１つを含んでよい。
【００２５】
一方、本発明の別の実施形態に係るディスプレイ装置は、放送コンテンツに対するＵＩをディスプレイするディスプレイ部と、複数の放送コンテンツアイテムを前記ＵＩに含まれたアレイに配列する制御部とを含み、前記ＵＩは、前記放送コンテンツが放送される時点に応じて異なる大きさを有する複数の時間単位を含む時間軸を有する前記アレイを含み、それぞれの放送コンテンツアイテムは、放送コンテンツの表現を含み、当該放送コンテンツが放送される時間の単位に応じて前記アレイに二次元的に配列されてよい。
【００２６】
この場合、現在の日付に対する放送コンテンツアイテムは、前記時間軸上に第１時間単位で配列され、過去の日付に対する放送コンテンツアイテムと未来の日付に対する放送コンテンツアイテムは、前記時間軸上に前記第１時間単位より大きい第２時間単位で配列されてよい。
【００２７】
一方、現在の日付と、現在の日付を基準に予め設定された範囲内にある一日以上日に対する放送コンテンツアイテムは、前記時間軸上に第１時間単位で配列され、前記予め設定された範囲外にある日付に対する放送コンテンツアイテムは前記第１時間単位より大きい第２時間単位で配列されてよい。
【００２８】
一方、現在の日付に対する放送コンテンツアイテムは、前記時間軸上に一時間単位で配列され、過去の日付及び未来の日付に対する放送コンテンツアイテムは、前記時間軸上に一日単位で配列されてよい。
【００２９】
一方、前記複数の放送コンテンツアイテムは、放送コンテンツの要約された表現を含む複数のサムネールイメージを含んでよい。
【００３０】
一方、前記ＵＩのアレイは、ＥＰＧ（Ｅｌｅｃｔｒｏｎｉｃ  Ｐｒｏｇｒａｍ  Ｇｕｉｄｅ）を含み、前記ＥＰＧで時間単位は前記アレイの列方向に配列され、各列の幅は同一の大きさであってよい。
【００３１】
一方、前記制御部は、放送コンテンツに対するユーザの選好度及び放送コンテンツに対するおすすめ情報のうち少なくとも一方に基づいて、同一の時間単位に該当するアレイの１つの列内の複数の行に該当する複数のアイテムを二次元的に配列してよい。
【発明の効果】
【００３２】
以上説明したように、本発明によれば、ユーザが過去に放送されたコンテンツまたは未来に放送される放送コンテンツの正確な時刻を知らなくても、異なる時間単位で構成された時間軸を含むガイドＵＩを通じて好みの放送コンテンツをより容易に検索することができるようになる。
【図面の簡単な説明】
【００３３】
【図１】本発明の一実施形態に係るディスプレイ装置の構成を概略に示すブロック図である。
【図２】本発明の一実施形態に係るディスプレイ装置の構成を詳細に示すブロック図である。
【図３】本発明の一実施形態に係る相互異なる時間単位で構成されたガイドＵＩを時間軸を説明するための図である。
【図４Ａ】本発明の一実施形態に係る相互異なる時間単位で構成された時間軸を含むガイドＵＩを示す図である。
【図４Ｂ】本発明の一実施形態に係る相互異なる時間単位で構成された時間軸を含むガイドＵＩを示す図である。
【図５Ａ】本発明の一実施形態に係る日付ブラウジングバーを説明するための図である。
【図５Ｂ】本発明の一実施形態に係る日付ブラウジングバーを説明するための図である。
【図６Ａ】本発明の一実施形態に係る放送コンテンツが放送される時点に応じて提供される機能リストを示す図である。
【図６Ｂ】本発明の一実施形態に係る放送コンテンツが放送される時点に応じて提供される機能リストを示す図である。
【図６Ｃ】本発明の一実施形態に係る放送コンテンツが放送される時点に応じて提供される機能リストを示す図である。
【図７】本発明の別の実施形態に係る相互異なる時間単位で構成された時間軸を含むガイドＵＩを示す図である。
【図８】本発明の一実施形態に係るディスプレイ装置の制御方法を説明するためのフローチャートである。
【発明を実施するための形態】
【００３４】
以下に添付図面を参照しながら、本発明の好適な実施形態について詳細に説明する。
【００３５】
図１は、本発明の一実施形態に係るディスプレイ装置１００の構成を概略に示すブロック図である。図１に示すように、ディスプレイ装置１００は、ディスプレイ部１１０、入力部１２０及び制御部１３０を含む。本発明の一実施形態に係るディスプレイ装置１００は、スマートテレビであってよいが、それは一実施形態に過ぎず、スマートフォン、タブレットパソコン、デスクトップパソコン、ノードパソコン、プロジェクションテレビ等のような多様なディスプレイ装置で実現されてよい。
【００３６】
ディスプレイ部１１０は、制御部１３０に制御に応じて、映像データ及び多様なＵＩをディスプレイする。特に、ディスプレイ部１１０は、複数の放送コンテンツに対応する複数のディスプレイアイテムを含むガイドＵＩをディスプレイすることができる。例えば、ガイドＵＩは、ＥＰＧ（Ｅｌｅｃｔｒｏｎｉｃ  Ｐｒｏｇｒａｍ  Ｇｕｉｄｅ）、ＩＰＧ（ａｎ  Ｉｎｔｅｒａｃｔｉｖｅ  Ｐｒｏｇｒａｍ  Ｇｕｉｄｅ）等を含んでよい。
【００３７】
このとき、ガイドＵＩは、異なる時間単位で構成された時間軸を含む。ガイドＵＩ内には、時間軸を基準に複数のディスプレイアイテムが配列されてよい。例えば、ガイドＵＩに含まれた時間軸は過去の日付には日付単位で、現在の日付から予め設定された期間内（例えば、その翌日）には時間単位で、未来の日付には日付単位で構成されてよい。
【００３８】
入力部１２０には、ディスプレイ装置１００を制御するためのユーザ命令が入力される。例えば、入力部１２０には、ガイドＵＩに含まれたディスプレイアイテムを選択するためのユーザ命令が入力されてよい。
【００３９】
制御部１３０は、入力部１２０を介して入力されたユーザ命令に応じて、ディスプレイ装置１００の動作全般を制御する。特に、入力部１２０を介してガイドＵＩ生成命令が入力されると、制御部１３０は、放送コンテンツに対応する複数のディスプレイアイテムを含むガイドＵＩをディスプレイするようにディスプレイ部１１０を制御する。
【００４０】
このとき、ガイドＵＩは、上述のように、異なる時間単位で構成された時間軸を含み、時間軸を基準にディスプレイアイテムをディスプレイすることができる。例えば、ガイドＵＩは、時間軸を基準に同一の時間単位でディスプレイされるディスプレイアイテムを放送コンテンツのおすすめ順に沿って整列してディスプレイすることができる。このとき、おすすめ順は、ユーザの放送コンテンツ視聴履歴、視聴率、他人のおすすめ回数のうち少なくとも１つに基づいて決定されてよい。別の例として、制御部１３０は、外部サーバから予め設定された周期毎に放送コンテンツおすすめ情報を受信し、受信された放送コンテンツおすすめ情報に基づいておすすめ順を判断することができる。
【００４１】
時間単位は調節され得るか、変更され得る。例えば、時間単位は、３０分、１時間、一晩、１日、１週間等であってよい。それにより、ユーザは、一日の番組編成スケジュール、毎時間の番組編成スケジュール等に基づいて放送コンテンツを代表するイメージを検索することができる。なお、制御部１３０は、特定のユーザにコンテンツをおすすめする目的で放送コンテンツに対応するイメージを配列することができる。
【００４２】
制御部１３０は、例えば、時間軸の一側に時間をブラウジングすることができるバー状のＧＵＩをディスプレイするようにディスプレイ部１１０を制御することができる。そして、入力部１２０を介してバー状のＧＵＩの特定領域を選択するユーザ命令が入力された場合、制御部１３０は、選択された特定領域に対応する時間単位に含まれたディスプレイアイテムをディスプレイするようにディスプレイ部１１０を制御することができる。
【００４３】
入力部１２０を介して複数のディスプレイアイテムのうちの１つを選択するユーザ命令が入力された場合、制御部１３０は、選択されたディスプレイアイテムの一側に選択されたディスプレイアイテムに対応する放送コンテンツに関連する機能を提供するリストをディスプレイするようにディスプレイ部１１０を制御することができる。このとき、放送コンテンツに関連する機能を提供するリストは、選択されたディスプレイアイテムに対応する放送コンテンツが放送される時点に応じて異なってよい。例えば、選択されたディスプレイアイテムに対応する放送コンテンツが過去に放送された場合、リストは好みの放送追加アイテム、前の放送視聴アイテム、放送情報提供アイテムのうち少なくとも１つを含み、選択されたディスプレイアイテムに対応する放送コンテンツが現在放送される場合、リストは、好みの放送追加アイテム、録画アイテム、放送視聴アイテム及び放送情報提供アイテムのうち少なくとも１つを含み、選択されたディスプレイアイテムに対応する放送コンテンツが未来に放送される場合、リストは好みの放送追加アイテム、予約録画アイテム、予約視聴アイテム、放送情報提供アイテムのうち少なくとも１つを含んでよい。
【００４４】
上述のように、現在の時刻を基準に日付に応じて異なる時間単位で構成された時間軸を含むガイドＵＩを提供することで、ユーザは過去に放送されたコンテンツまたは未来に放送される放送コンテンツの正確な時刻を知らなくても異なる時間単位で構成された時間軸を含むガイドＵＩを通じて好む放送コンテンツをより容易に検出することができるようになる。
【００４５】
以下では、図２ないし図７を参照して、本発明のディスプレイ装置についてより詳細に説明する。
【００４６】
図２は、本発明の更に別の実施形態に係るディスプレイ装置２００の構成を示すブロック図である。図２に示すように、ディスプレイ装置２００は、通信部２１０と、映像受信部２２０と、映像処理部２３０と、ディスプレイ部２４０と、保存部２５０と、オーディオ処理部２６０と、オーディオ出力部２７０と、入力部２８０及び制御部２９０を含む。
【００４７】
通信部２１０は、多様な通信方式によって多様な外部機器と通信を行う構成である。通信部２１０は、Ｗｉ−Ｆｉチップ、ブルートゥースチップ、ＮＦＣチップ、無線通信チップ、ＩＲチップ等のような多様な通信チップを含んでよい。このとき、Ｗｉ−Ｆｉチップ、ブルートゥースチップ、ＮＦＣチップ、ＩＲチップは、それぞれＷｉ−Ｆｉ方式、ブルートゥース方式、ＮＦＣ方式、ＩＲ方式で通信を行う。この中、ＮＦＣチップは、１３５ｋＨｚ、１３．５６ＭＨｚ、４３３ＭＨｚ、８６０〜９６０ＭＨｚ、２．４５ＧＨｚ等のような多様なＲＦ−ＩＤ周波数帯域の中で１３．５６ＭＨｚ帯域を使用するＮＦＣ（Ｎｅａｒ  Ｆｉｅｌｄ  Ｃｏｍｍｕｎｉｃａｔｉｏｎ）方式で動作するチップを意味する。Ｗｉ−Ｆｉチップやブルートゥースチップを用いる場合には、ＳＳＩＤ及びセッションキー等のような各種接続情報を先に送受信し、それを用いて通信接続した後、各種情報を送受信することができる。無線通信チップは、ＩＥＥＥ、Ｚｉｇｂｅｅ（登録商標）、３Ｇ（３ｒｄ  Ｇｅｎｅｒａｔｉｏｎ）、３ＧＰＰ（３ｒｄ  Ｇｅｎｅｒａｔｉｏｎ  Ｐａｒｔｎｅｒｓｈｉｐ  Ｐｒｏｊｅｃｔ）、ＬＴＥ（Ｌｏｎｇ  Ｔｅｒｍ  Ｅｖｏｌｕｔｉｏｎ）等のような多様な通信規格に応じて通信を行うチップを意味する。
【００４８】
特に、通信部２１０は、外部のサーバから放送コンテンツおすすめ情報を受信することができる。このとき、放送コンテンツおすすめ情報は、放送コンテンツに対する視聴率情報、放送コンテンツに対する他人の評価情報等を含んでよい。
【００４９】
映像受信部２２０は、外部の多様なソースから映像コンテンツを受信する。例えば、映像受信部２２０は、外部の放送局から複数の放送コンテンツを受信することができる。なお、映像受信部２２０は、外部機器（例えば、サーバ、ＤＶＤ等）から多様な映像コンテンツを受信することができる。
【００５０】
映像処理部２３０は、映像受信部２２０で受信した映像データに対する処理を行う構成要素である。映像処理部２３０では、映像データに対するデコード、スケーリング、ノイズフィルタリング、フレームレート変換、解像度変換等のような多様なイメージ処理を行うことができる。
【００５１】
ディスプレイ部２４０は、映像受信部２２０から受信した映像データを映像処理部２３０で処理したビデオフレーム及びグラフィック処理部２９３から生成された多様な画面のうち少なくとも１つをディスプレイする。一例として、ディスプレイ部２４０は、現在の時刻を基準に時間軸に複数のディスプレイアイテムをディスプレイすることができる。複数のディスプレイアイテムは、日付に応じて異なる時間単位で構成されてよい。
【００５２】
保存部２５０は、ディスプレイ装置２００を駆動するための多様なモジュールを保存する。例えば、保存部２５０は、ベースモジュール、センシングモジュール、通信モジュール、プレゼンテーションモジュール、ウェブブラウザモジュール、機能モジュールを含むソフトウェアのうち少なくとも１つが保存されてよい。このとき、ベースモジュールは、ディスプレイ装置２００に含まれた各ハードウェアから伝達される信号を処理して上位レイヤモジュールに伝達する基礎モジュールである。例えば、センシングモジュールは、各種センサから情報を収集し、収集された情報を分析及び管理するモジュールとして、顔認識モジュール、音声認識モジュール、モーション認識モジュール、ＮＦＣ認識モジュール等を含んでよい。プレゼンテーションモジュールは、ディスプレイ画面を構成するためのモジュールとして、マルチメディアコンテンツを生成して出力するためのマルチメディアモジュール、ＵＩ及びグラフィック処理を行うＵＩレンダリングモジュールを含んでよい。通信モジュールは、外部と通信を行うためのモジュールである。ウェブブラウザモジュールは、ウェブブラウジングを行いウェブサーバにアクセスするモジュールを意味する。機能モジュールは、多様な機能を提供するための各種アプリケーションを含むモジュールである。
【００５３】
上述のように、保存部２５０は、多様なプログラムモジュールを含んでよいが、各種プログラムモジュールは、ディスプレイ装置２００の種類及び特性に応じて一部省略されたり変形または追加されてよい。仮に、上述のディスプレイ装置２００がスマートフォンやタブレットパソコンで実現された場合、ベースモジュールにはＧＰＳ基盤のディスプレイ装置２００の位置を判断するための位置判断モジュールを更に含み、センシングモジュールには、ユーザの動作を検知するセンシングモジュールを更に含んでよい。
【００５４】
なお、保存部２５０は、外部サーバから受信される放送コンテンツのおすすめ情報及びユーザの放送コンテンツ視聴履歴に関する情報を保存することができる。
【００５５】
オーディオ処理部２６０は、オーディオデータに対する処理を行う構成要素である。オーディオ処理部２６０では、オーディオデータに対するデコードや増幅、ノイズフィルタリング等のような多様な処理が行われてよい。オーディオ処理部２６０で処理されたオーディオデータはオーディオ出力部２７０に出力されてよい。
【００５６】
オーディオ出力部２７０は、オーディオ処理部２６０で処理された各種オーディオデータだけでなく、各種報知音や音声メッセージを出力する構成である。
【００５７】
入力部２８０には、ディスプレイ装置２００を制御するための多様なユーザ命令が入力される。このとき、入力部２８０は、ハイライトを移動するための４方向キーを備えるリモコンまたはポインタを移動するためのモーションセンサの具備されたポインティングデバイス等で実現されてよいが、それは一実施形態に過ぎないだけで、キーボードやマウス、モーション入力部、音声入力部、タッチセンサ等のような多様な入力装置で実現されてよい。
【００５８】
制御部２９０は、保存部２５０に保存された各種プログラムを用いてディスプレイ装置２００の動作全般を制御する。
【００５９】
制御部２９０は、図２に示すように、ＲＡＭ２９１、ＲＯＭ２９２、グラフィック処理部２９３、メインＣＰＵ２９４、第１ないし第ｎインターフェース２９５−１〜２９５−ｎ、バス２９６を含む。このとき、ＲＡＭ２９１、ＲＯＭ２９２、グラフィック処理部２９３、メインＣＰＵ２９４、第１ないし第ｎインターフェース２９５−１〜２９５−ｎ等は、バス２９６を通じて相互接続されてよい。
【００６０】
ＲＯＭ２９２には、ディスプレイ装置２００のようなシステムブートのための命令語セット等が保存される。ターンオン命令が入力されて電源が供給されると、メインＣＰＵ２９４は、ＲＯＭ２９２に保存された命令語に応じて保存部２５０に保存されたＯ／ＳをＲＡＭ２９１にコピーし、Ｏ／Ｓを実行させてシステムをブートさせる。ブートが完了すると、メインＣＰＵ２９４は保存部２５０に保存された各種アプリケーションプログラムをＲＡＭ２９１にコピーし、ＲＡＭ２９１にコピーされたアプリケーションプログラムを実行させて各種動作を行う。
【００６１】
グラフィック処理部２９３は、演算部（図示せず）及びレンダリング（図示せず）を用いてポインタ、アイコン、イメージ、テキスト等のような多様な客体を含む画面を生成する。演算部は、入力部から受信された制御命令を用いて画面のレイアウトに応じて各客体が表示される座標値、形、大きさ、カラー等のような属性値を演算する。レンダリング部は、演算部において演算した属性値に基づいて客体を含む多様なレイアウトの画面を生成する。レンダリング部で生成された画面は、ディスプレイ部２４０のディスプレイ領域内に表示される。
【００６２】
メインＣＰＵ２９４は、保存部２５０にアクセスし、保存部２５０に保存されたＯ／Ｓを用いてブートを行う。そして、メインＣＰＵ２９４は、保存部２５０に保存された各種プログラム、コンテンツ、データ等を用いて多様な動作を行う。
【００６３】
第１ないしｎインターフェース２９５−１〜２９５−ｎは、上述の各種構成要素と接続される。インターフェースのうちの１つは、ネットワークを通じて外部装置と接続されるネットワークインターフェースであってよい。
【００６４】
特に、入力部２８０を介しておすすめ放送コンテンツを提供するガイドＵＩを生成するユーザ命令が入力される場合、制御部２９０は複数の放送コンテンツに対応する複数のディスプレイアイテムを含むガイドＵＩをディスプレイするようにディスプレイ部２４０を制御することができる。このとき、ディスプレイアイテムは、放送コンテンツのサムネールイメージ（ｔｈｕｍｂｎａｉｌ  ｉｍａｇｅ）、放送コンテンツタイトル、放送局情報、チャネル情報、放送開始時刻情報のうち少なくとも１つを含んでよい。
【００６５】
一方、ガイドＵＩは、現在の時刻を基準に日付に応じて異なる時間単位で構成された時間軸を含み、異なる時間単位で構成された時間軸を基準に放送コンテンツに対応するディスプレイアイテムをディスプレイすることができる。具体的に、図３に示すように、ガイドＵＩは、現在の時刻を基準に過去の日付には日付単位でディスプレイアイテムが提供され、現在の日付及びその翌日には時間単位でディスプレイアイテムが提供され、その２日後には再び日付単位でディスプレイアイテムが提供されてよい。
【００６６】
本発明の一実施形態として、入力部２８０を介しておすすめ放送コンテンツを提供するガイドＵＩを生成するユーザ命令が入力された場合、制御部２９０は、図４Ａに示すようなガイドＵＩをディスプレイするようにディスプレイ部２４０を制御することができる。図４Ａに示すように、ガイドＵＩは現在の時刻である５月１３日（金曜日）の午後８：００を基準に現在の日付またはその翌日の日付には、時間単位で構成された時間軸４１０を含むことができる。本実施形態では、時間単位は１時間である。
【００６７】
ユーザは未来に放送される放送コンテンツの確認を希望する場合があり得る。それにより、入力部２８０を介してハイライト移動命令またはディスプレイ画面移動命令が入力されると、制御部２９０は、図４Ｂに示すようなガイドＵＩをディスプレイするようにディスプレイ部２４０を制御することができる。図４Ｂに示すように、ガイドＵＩは現在の時刻である５月１５日（木曜日）の午後８：００を基準に２日後の日付には日付単位で構成された時間軸４１０を含んでよい。
【００６８】
すなわち、図４Ａ及び図４Ｂを比較すると、ガイドＵＩに含まれた時間軸４１０は現在の時刻に近い現在の日付及びその翌日には時間単位で構成され、２日後には日付単位で構成されてよい。
【００６９】
一方、制御部２９０はガイドＵＩの時間軸４１０を基準に同一の時間単位にディスプレイされるディスプレイアイテムを放送コンテンツのおすすめ順に沿って整列してディスプレイするようにディスプレイ部２４０を制御することができる。特に、現在の日付及びその翌日に放送される放送コンテンツの場合、制御部２９０は時間単位で放送コンテンツのおすすめ順を判断してディスプレイアイテムを整列することができ、現在の日付から２日後に放送される放送コンテンツの場合、制御部１４０は日付単位で放送コンテンツのおすすめ順を判断してディスプレイアイテムを整列することができる。例えば、現在の日付の午後８：００時間帯の時間軸に含まれたディスプレイアイテムの場合、制御部２９０は複数の放送局から受信される放送コンテンツのうち、現在の日付の午後８時に放送される放送コンテンツのおすすめ順を判断し、判断されたおすすめ順にディスプレイアイテムを整列することができる。なお、５月１８日の日付の時間軸に含まれたディスプレイアイテムの場合、制御部２９０は複数の放送局から受信される放送コンテンツのうち、５月１８日に放送される放送コンテンツのおすすめ順を判断し、判断されたおすすめ順にディスプレイアイテムを整列することができる。
【００７０】
特に、制御部２９０は、ユーザの放送コンテンツ視聴履歴、視聴率、他人のおすすめ回数のうち少なくとも１つに基づいておすすめ順を判断することができる。このとき、制御部２９０は、視聴率及び他人のおすすめ回数情報よりはユーザの放送コンテンツ視聴履歴を優先順位でおすすめ順を判断することができる。例えば、制御部２９０は、当該時間帯でユーザが頻繁に視聴する放送コンテンツを最上にディスプレイし、ユーザが頻繁に視聴する放送コンテンツの下に視聴率順に他の放送コンテンツをディスプレイするようにディスプレイ部２４０を制御することができる。
【００７１】
なお、制御部２９０は、外部サーバから受信された放送コンテンツおすすめ情報及び保存部２５０に保存された放送コンテンツ視聴履歴に基づいておすすめ順を判断することができる。このとき、放送コンテンツおすすめ情報には、視聴率情報及び他人のおすすめ回数情報のような情報が含まれれてよい。なお、制御部２９０は、外部サーバから予め設定された周期（例えば、毎分（ｅｖｅｒｙ  ｍｉｎｕｔｅ）、１０分毎（ｅｖｅｒｙ  １０  ｍｉｎｕｔｅｓ）、毎時間等）で放送コンテンツおすすめ情報を受信することができる。予め設定された周期で放送コンテンツおすすめ情報が受信される場合、制御部２９０は受信された放送コンテンツおすすめ情報と対応するようにガイドＵＩをアップデートすることができる。例えば、制御部２９０は、アレイ（ａｒｒａｙ）内の同一の時間単位の列（ｒｏｗ）上に複数のアイテムを２次元的に配列することができる。
【００７２】
一方、上述のように、同一の時間単位に含まれたディスプレイアイテムが放送コンテンツのおすすめ順に沿って整列されることは一実施形態に過ぎないだけで、同一の時間単位に含まれたディスプレイアイテムが異なる順に整列されてよい。例えば、制御部２９０は、同一の時間帯に含まれたディスプレイアイテムが放送局またはチャネル番号に沿って整列されてよい。
【００７３】
なお、制御部２９０は、ガイドＵＩに含まれた時間軸の一側に時間をブラウジングすることができるバー状のＧＵＩを共にディスプレイするようにディスプレイ部２４０を制御することができる。バー状のＧＵＩは、ユーザがコンテンツの異なる時間及び日を検索するのに使用されてよい。
【００７４】
図５Ａに示すように、ガイドＵＩがディスプレイされる間に入力部２８０を介して日付ブラウジングバー生成命令が入力されると、制御部２９０は、図５Ｂに示すように、ガイドＵＩの時間軸５１０の上側に日付ブラウジングバー５２０をディスプレイするようにディスプレイ部２４０を制御することができる。このとき、日付ブラウジングバー５２０は、図５Ｂに示すように、現在の日付を基準に日付単位に領域が区分されている。例えば、ユーザが選択された日付を左側から右側に移したり、逆にしたりすると、選択された日付が現在の日付として現れ、次の日がその翌日として現れる。よって、ユーザは、放送コンテンツ情報を見るために、過去の日付及び未来の日付を検索することができる。なお、制御部２９０は、おすすめ情報に基づいて毎日のコンテンツを整列することができる。そうすることで、ユーザは、ユーザの楽しむコンテンツをおすすめされるため、便宜性が増大する。特に、入力部２８０を介して日付ブラウジングバー５２０の特定の領域を選択するユーザ命令が入力された場合、制御部２９０は選択された特定の領域に対応する時間単位に含まれたディスプレイアイテムをディスプレイするようにディスプレイ部２４０を制御することができる。例えば、日付ブラウジングバー５２０の“Ｔｏｄａｙ”領域にハイライトが表示される間、入力部２８０を介してハイライトを“２７”に対応する領域に移動して選択するユーザ命令が入力された場合、制御部２９０は、選択された“２７”に対応する“５月２７日”の日付単位に放送される放送コンテンツに対応するディスプレイアイテムをおすすめ順にディスプレイするようにディスプレイ部２４０を制御することができる。
【００７５】
更に別の例として、入力部２８０を介して複数のディスプレイアイテムのうちの１つを選択するユーザ命令が入力された場合、制御部２９０は選択されたディスプレイアイテムの一側に選択されたディスプレイアイテムに対応する放送コンテンツに関連する機能を提供する機能リストをディスプレイするようにディスプレイ部２４０を制御することができる。このとき、機能リストは、選択されたディスプレイアイテムに対応する放送コンテンツが放送される時点に応じて、または放送コンテンツのタイプに応じて異なってよい。
【００７６】
例えば、入力部２８０を介して複数のディスプレイアイテムのうち、現在放送される放送コンテンツに対応するディスプレイアイテムが選択された場合、制御部２９０は、図６Ａに示すように、選択されたディスプレイアイテムの右側に機能リスト６２０をディスプレイすることができる。このとき、機能リスト６２０は、録画アイテム、詳細情報アイテム、好みの番組追加アイテム、再生アイテムのうち１つを含んでよい。
【００７７】
更に別の例として、入力部２８０を介して複数のディスプレイアイテムのうち、過去に放送された放送コンテンツに対応するディスプレイアイテムが選択された場合、制御部２９０は、図６Ｂに示すように、選択されたディスプレイアイテムの右側に機能リスト６３０をディスプレイすることができる。このとき、機能リスト６３０は、再生アイテム、詳細情報アイテム及び好みの番組追加アイテムを含んでよい。
【００７８】
更に別の例として、入力部２８０を介して複数のディスプレイアイテムのうち、未来に放送される放送コンテンツに対応するディスプレイアイテムが選択された場合、制御部２９０は、図６Ｃに示すように、選択されたディスプレイアイテムの右側に機能リスト６４０をディスプレイすることができる。このとき、機能リスト６４０は、予約録画アイテム、予約視聴アイテム、詳細情報アイテム及び好みの番組追加アイテムを含んでよい。
【００７９】
一方、図３ないし図６Ｂにおいて説明した実施形態では、現在の日付及びその翌日には時間単位で時間軸が構成され、過去の日付及び２日後の日付には日付単位で時間軸が構成されたものとして説明したが、それは一実施形態に過ぎず、他の時間単位で時間軸が構成されてよい。例えば、図７に示すように、現在の日付及びその翌日には時間単位で時間軸が構成され、現在の時刻から２日及び３日後の日付には半日単位で時間軸が構成され、現在の時刻から４日後の日付には日付単位で時間軸が構成されてよい。すなわち、現在の日付を基準に日が過ぎるにつれ、時間軸の時間単位が次第に増加してよい。
【００８０】
図４Ａないし図７の実施形態において、放送コンテンツはサムネールイメージであるディスプレイアイテムで表現（ｒｅｐｒｅｓｅｎｔａｔｉｏｎ）される。ディスプレイアイテムは、放送コンテンツの概要を示すために使用される放送コンテンツアイテムと称されてよく、または、放送コンテンツと称されてよい。よって、サムネールイメージは、放送コンテンツの要約された表現であってよい。例えば、サムネールイメージは、コンテンツのビデオイメージ、放送コンテンツの前のコンテンツのビデオイメージ、放送コンテンツの俳優のイメージ等を含んでよい。
【００８１】
時間軸は、アレイの行方向または列方向に位置することができる。サムネールイメージは、ＵＩのアレイ内で２次元的に配列され得るため、各行または各列は１つの時間単位を代表する。例えば、一日、半日、１時間等のような時間単位を代表する。時間軸の各列は幅（Ｗｉｄｔｈ）面で同一である。更に別の例として、アレイの各行も幅面で同一であってよい。
【００８２】
ユーザは、サムネールイメージとして代表される放送コンテンツをプレビューするために、時間単位を検索することができる。放送コンテンツは、まだ再生されていないコンテンツか、現在再生中のコンテンツかまたは以前に再生されたことのあるコンテンツであってよい。このような例において、サムネールイメージの下には、各放送コンテンツのチャネルを現すロゴがある。
【００８３】
ユーザは、放送コンテンツに該当するサムネールイメージを選択したり、サムネールイメージの上の周りをウロウロする（ｈｏｖｅｒ  ｏｖｅｒ）ために、カーソルを動かしたり、ディスプレイ装置の入力部を介して命令を入力することができる。その結果として、放送コンテンツに対する機能リストがディスプレイされてよい。例えば、機能リストは、放送コンテンツの再生時間、放送コンテンツに対する更なる情報、ユーザ好みのメニューに放送コンテンツを追加するためのオプション等を含むことができる。
【００８４】
図８は、本発明の一実施形態に係るディスプレイ装置の制御方法を説明するためのフローチャートである。
【００８５】
図８を参照すると、ディスプレイ装置１００は放送コンテンツをガイドするためのガイドＵＩをディスプレイする（Ｓ８１０）。このとき、ガイドＵＩは、異なる時間単位で構成された時間軸を含み、時間軸を基準に放送コンテンツに対応するディスプレイアイテムをディスプレイすることができる。例えば、ガイドＵＩに含まれた時間軸は、過去の日付には日付単位で、現在の日付から予め設定された期間内（例えば、その翌日）には時間単位で、予め設定された期間以後の未来の日付には日付単位で構成されてよい。
【００８６】
そして、ディスプレイ装置１００は、ユーザ命令に応じてガイドＵＩを制御する（Ｓ８２０）。具体的に、ガイドＵＩの一側に時間をブラウジングするためのバー状のＧＵＩがディスプレイされた場合、バー状のＧＵＩの特定領域を選択するユーザ命令が入力されると、ディスプレイ装置１００は選択された特定領域に対応する時間単位に含まれたディスプレイアイテムをディスプレイすることができる。なお、複数のディスプレイアイテムのうちの１つを選択するユーザ命令が入力された場合、ディスプレイ装置１００は選択されたディスプレイアイテムの一側に選択されたディスプレイアイテムに対応する放送コンテンツに関連する機能を提供するリストをディスプレイすることができる。
【００８７】
上述のように、ガイドＵＩが現在の時刻を基準に日付に応じて異なる時間単位で構成された時間軸を含むことで、ユーザが過去に放送されたコンテンツまたは未来に放送される放送コンテンツの正確な時刻を知らなくても、好む放送コンテンツをより容易に検索することができるようになる。
【００８８】
多様な実施形態によると、時間軸上の複数の時間単位は放送コンテンツが放送される日に基づいて、多様な大きさを有してよい。例えば、現在の日付の放送コンテンツアイテムは、１時間（ｈｏｕｒ）単位のような小さい単位で時間軸に配列されてよい。そして、過去の日付及び未来の日付に対する放送コンテンツアイテムは、１日（ｄａｙ）のようなより大きい単位で時間軸に配列されてよい。更に別の例として、現在の日付の放送コンテンツアイテムと、現在の日付を基準に予め設定された範囲内にある日の放送コンテンツアイテムは、時間軸上で小さい（ｓｍａｌｌｅｒ）時間単位で配列されてよく、前記予め設定された範囲外にある日に対する放送コンテンツは時間軸上で大きい（ｌａｒｇｅｒ）時間単位で配列されてよい。
【００８９】
一方、上述の多様な実施形態に係るディスプレイ装置の制御方法は、プログラムで実現されてディスプレイ装置または入力装置に提供されてよい。特に、ディスプレイ装置の制御方法を含むプログラムは、非一時的な読み取り可能な媒体（ｎｏｎ−ｔｒａｎｓｉｔｏｒｙ  ｃｏｍｐｕｔｅｒ  ｒｅａｄａｂｌｅ  ｍｅｄｉｕｍ）に保存されて提供されてよい。
【００９０】
非一時的な読み取り可能な媒体とは、レジスタやキャッシュ、メモリ等のように短い間だけデータを保存する媒体ではなく、半永久的にデータを保存し、機器によって読み取り（ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢ、メモリカード、ＲＯＭ等のような非一時的な読み取り可能な媒体に保存されて提供されてよい。
【００９１】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【００９２】
１００、２００  ディスプレイ装置
１１０、２４０  ディスプレイ部
１２０、２８０  入力部
１３０、２９０  制御部
２１０  通信部
２２０  映像受信部
２３０  映像処理部
２５０  保存部
２６０  オーディオ処理部
２７０  オーディオ出力部
２９１  ＲＡＭ
２９２  ＲＯＭ
２９３  グラフィック処理部
２９４  メインＣＰＵ
２９５−１  第１インターフェース
２９５−ｎ  第ｎインターフェース
２９６  バス
４１０、５１０  時間軸
５２０  日付ブラウジングバー
６２０、６３０、６４０  機能リスト
【図１】
2015186262.tif 000003
【図２】
2015186262.tif 000004
【図３】
2015186262.tif 000005
【図４Ａ】
2015186262.tif 000006
【図４Ｂ】
2015186262.tif 000007
【図５Ａ】
2015186262.tif 000008
【図５Ｂ】
2015186262.tif 000009
【図６Ａ】
2015186262.tif 000010
【図６Ｂ】
2015186262.tif 000011
【図６Ｃ】
2015186262.tif 000012
【図７】
2015186262.tif 000013
【図８】
2015186262.tif 000014